(57)【要約】【課題】キャビネットに特別な加工を必要とすることなく、カウンターとキャビネットとの間の隙間を隠蔽することのできるシステム家具を提供すること。【解決手段】カウンター１１の前部下面側とキャビネット１２の前面との隙間Ｇが化粧材１５で隠蔽可能に設けられている。化粧材１５は、ベース材２０及びカバー材２１を含む。ベース材２１は、キャビネット１２の上部前端側に取付可能に設けられ、前方に開放する開放部２７を備える。カバー材２１は開放部２７を閉塞する閉塞面４４と上部横行片４５と、当該上部横行片４５の上面側に配置されたクッション材４９とを含む。クッション材４９を上顎部３０の下面側に押圧しつつ下部突条４７を下顎部３１の凹部４０に嵌合させたときに、クッション材４９の反発力で下部突条４７が凹部４０に確実に嵌合する。【選択図】  図２
2019136164.tif 000002
【特許請求の範囲】
【請求項１】
カウンター前部下面側とキャビネット前面との隙間を化粧材で隠蔽するシステム家具において、
前記化粧材は、長手方向に延びるベース材及び当該ベース材に対して着脱可能なカバー材を含み、
前記ベース材は、前記キャビネットに取付可能に設けられているとともに、前方に開放する開放部を備え、
前記カバー材は前記開放部を閉塞する閉塞面を備えていることを特徴とするシステム家具。
【請求項２】
前記ベース材は、略鉛直面内に位置するベース面を備え、当該ベース面が前記キャビネットの上部前面に固定されることを特徴とする請求項１記載のシステム家具。
【請求項３】
前記ベース材は、前記ベース面と、当該ベース面の上部及び下部に位置する上顎部及び下顎部を備え、前記カバー材は、前記上顎部及び下顎部間に嵌合する形状を備えていることを特徴とする請求項１又は２記載のシステム家具。
【請求項４】
前記カバー材は、前記閉塞面の上部に連なる上部横行片と、閉塞面の下部に設けられた下部突条と、上部横行片の延出方向に沿って長手方向に所定間隔を隔てて配置されたクッション材とを備え、当該クッション材を介して上部横行片を前記上顎部に押圧したときの反発力で前記下部突条を前記下顎部に嵌合させることを特徴とする請求項１、２又は３記載のシステム家具。
【発明の詳細な説明】
【技術分野】
【０００１】
本発明は、システム家具に係り、更に詳しくは、キッチンや、洗面化粧台などを構成するカウンターと、当該カウンターを支持するキャビネットとの前部隙間を隠蔽する構造を備えたシステム家具に関する。
【背景技術】
【０００２】
キッチン、洗面化粧台などのシステム家具は、例えば、人造大理石により構成されたカウンターと、当該カウンターを支持するキャビネットと、カウンターの面内に設けられたシンク及び調理機器、若しくは洗面ボールとを備えて構成されている。キャビネットは、左右の側板間において、前後に出し入れ可能に設けられた引き出しや、前部を開閉する扉等を備えて構成されている。
この一方、カウンターはキャビネットの上部に固定される構造とされ、当該カウンターの前部下面側と、キャビネットの前部上面側との間には、長手方向（左右方向）に延びるモール等の部材が介装されて正面側の隙間を隠蔽し、意匠的に優れた装飾性を付与したものが知られている。
【０００３】
なお、カウンターとキャビネットとの間の隙間や、キャビネットの前面側に位置する扉同士の隙間を隠蔽する構成は、例えば、特許文献１に開示されている。
【先行技術文献】
【特許文献】
【０００４】
【特許文献１】特開２００７−３０７０５３号公報
【発明の概要】
【発明が解決しようとする課題】
【０００５】
特許文献１に記載された構成にあっては、左右方向に長いカバー材がキャビネットの側板に着脱可能に設けられたものとなっている。
具体的には、側板に凹部を設ける一方、カバー材の上縁部と下縁部にリブを設け、当該リブを凹部に面接触するように嵌合させる構成となっている。
特許文献１記載の構成は、凹部をキャビネットに設けなければならないため、当該キャビネットの構造を複雑化してしまう、という不都合を招来する。しかも、キャビネットは、カバー材を取り付ける専用箱となり、汎用箱として利用可能なキャビネットにカバー材を取り付けることができない、という不都合がある。
【０００６】
［発明の目的］
本発明は、このような不都合に着目して案出されたものであり、その目的は、キャビネットに特別な加工を必要とすることなく、カウンターとキャビネットとの間の隙間を隠蔽することのできるシステム家具を提供することにある。
また、本発明の他の目的は、汎用箱として利用可能なキャビネットに対して隙間の隠蔽が可能なシステム家具を提供することにある。
更に、本発明の目的は、ベース材にカバー材を確実に保持させることができる一方で、当該カバー材の着脱を容易に行うことのできるシステム家具を提供することにある。
【課題を解決するための手段】
【０００７】
前記目的を達成するため、本発明は、特許請求の範囲記載の構成を採用したものである。具体的には、カウンター前部下面側とキャビネット前面との隙間を化粧材で隠蔽するシステム家具において、
前記化粧材は、長手方向に延びるベース材及び当該ベース材に対して着脱可能なカバー材を含み、
前記ベース材は、前記キャビネットに取付可能に設けられているとともに、前方に開放する開放部を備え、
前記カバー材は前記開放部を閉塞する閉塞面を備える、という構成を採っている。
【０００８】
本発明において、前記ベース材は、略鉛直面内に位置するベース面を備え、当該ベース面が前記キャビネットの上部前面に固定される、という構成を採ることが好ましい。
【０００９】
また、前記ベース材は、前記ベース面と、当該ベース面の上部及び下部に位置する上顎部及び下顎部を備え、前記カバー材は、前記上顎部及び下顎部間に嵌合する形状を備える、という構成を採っている。
【００１０】
なお、前記カバー材は、前記閉塞面の上部に連なる上部横行片と、閉塞面の下部に設けられた下部突条と、上部横行片の延出方向に沿って長手方向に所定間隔を隔てて配置されたクッション材とを備え、当該クッション材を介して上部横行片を前記上顎部に押圧したときの反発力で前記下部突条を前記下顎部に嵌合させる、という構成を採ることが好ましい。
【発明の効果】
【００１１】
本発明によれば、ベース材がキャビネットに取り付けられ、カバー材がベース材の開放部を閉塞するように着脱可能に設けられる構成であるから、カバー材を取り付けるための構造をキャビネットに設ける必要性がなく、汎用性を有するキャビネットに適用可能となる。
【００１２】
また、ベース材が略鉛直面内に位置するベース面を有するため、ねじ等でベース材をキャビネットに難なく取り付けることができ、キャビネット側に、ベース材を取り付けるための特別な加工を不要とすることができる。
【００１３】
更に、上顎部と下顎部にカバー材が嵌合する形状であれば、カバー材を上下より挟み込むようにしっかり保持することができ、意図しない脱落も防止できる。
【００１４】
また、クッション材が所定間隔ごとに設けられ、カバー材の長手方向における断続的位置で反発力を生じさせる構成であるから、長手方向全域において反発力を生じさせる構造とする必要がなく構成を簡易にする一方、カバー材の着脱を容易且つ迅速に行うことが可能となる。
【図面の簡単な説明】
【００１５】
【図１】実施形態に係るシステムキッチンの概略斜視図。
【図２】図１の要部拡大左側面図
【図３】ベース材の部分斜視図。
【図４】カバー材の部分斜視図。
【発明を実施するための形態】
【００１６】
以下、本発明の実施形態について図面を参照しながら説明する。なお、本明細書において方向若しくは位置を示す用語は、特に明示しない場合には、図１に示されるシステムキッチンを正面に見た状態を基準とする。
【００１７】
図１において、システム家具としてのシステムキッチン１０は、左右方向を長手方向とする平面視略長方形状のカウンター１１と、当該カウンター１１の下面側に位置する箱状のキャビネット１２と、カウンター１１の前部下面側とキャビネット１２の前面上部との隙間Ｇ（図２参照）に位置して当該隙間Ｇを隠蔽する化粧材１５とを備えて構成されている。
【００１８】
カウンター１１は、本実施形態では人造大理石により構成されている。このカウンター１１において、上面左側に、例えば、電磁調理器具１６が配置されている一方、右側には、ワークスペースＳを介してシンク１７が配置されている。電磁調理器具１６は、カウンター１１の面内に設けられた図示しない方形の開口内に配置され、シンク１７は人造大理石による一体構造の他、別体のシンクをカウンター１１の下面側に接着等の手段を介して一体化することにより構成されている。
ここで、カウンター１１の上面前端は、図２に示されるように、カウンター１１の後方側上面位置に対して高低差ｄを有するように緩やかに隆起する傾斜面１１ａとされ、前部下面側は、前下方に向かって下向きに湾曲する湾曲面１１ｂを経て面位置が低く設けられた前部下平面１１ｃとされている。本実施形態におけるカウンター１１は、前部下平面１１ｃの位置が図示のものよりも更に下方に位置してカウンター１１の前端面の上下方向寸法が更に長く設定されたものが当初の製品形状をなしているものであり、これに対しデザインの選択肢を広げる等の要請に応じて前記上下方向寸法を短くしたスリムタイプに本発明が適用されている。
【００１９】
前記化粧材１５は、アルミニウムを成形素材として、例えば、押出成形による一体成形品により構成されている。この化粧材１５は、その長手方向すなわち左右方向に延びるベース材２０及び当該ベース材２０に着脱可能なカバー材２１を含む。ベース材２０は、図２、図３に示されるように、キャビネット１２の上部前端、具体的には、側板２３及び／又は側板間に配置される図示しない中間仕切板の上部前端面２３ａに固定用ねじ２４を介して取付可能となっている。
ベース材２０は、略鉛直面内に位置して後面側が上部前端面２３ａに接するベース面２５と、このベース面２５の上部及び下部に位置する上顎部３０及び下顎部３１を備えており、これら上顎部３０及び下顎部３１により、ベース面２５の前方が開放する開放部２７が形成されている。
【００２０】
前記上顎部３０は、ベース面２５に対して略直交する前方に向けられた上部平面部３２と、この上部平面部３２の前端に連なるとともに上方に向かうに従って後退する傾斜面３３を備えた起立部３４とからなる。
この一方、下顎部３１は、ベース面２５の下端に連なる下部平面部３６により構成されている。この下部平面部３６は、前記上部平面部３２と略平行に延び、且つ、当該上部平面部３２よりも前方に突出するように前後幅が長く設けられている。具体的には、キャビネット１２の一部を構成する引き出し用の前板若しくは扉１２ａの前面に対して前方に突出する長さとなる前後幅を有する。下顎部３１の前端側上面には、凹部４０が設けられている。この凹部４０は、長手方向（図２中紙面直交方向）に沿って直線状に連続する一条の溝により構成され、下部平面部３６の長手方向両端にそれぞれ開放する（図３参照）。また、下部平面部３６の上面側において凹部４０の後方位置には、当該凹部４０よりも前後（図３中左右）の開放幅が大きい溝４１，４２が凹部４０と平行な位置でそれぞれ形成され、これにより、下部平面部３６の上面側が凹凸形状となって強度確保がなされるようになっている。
なお、ベース面２５は、その上端面２５ａが、上顎部３０よりも上方に位置する上下方向長さを備えて構成されている。これにより、上端面２５ａがキャビネット１２の側板２３の上端面と面一に連なってカウンター１１の支持面として作用し得るようになっている。
【００２１】
前記カバー材２１は、前記開放部２７の前方を閉塞する湾曲面からなる閉塞面４４と、この閉塞面４４の上端に連なるとともに、上顎部３０の下面側に相対位置可能な上部横行片４５と、閉塞面４４の下部側で下向きに突設された下部突条４７と、上部横行片４５の延出方向に沿って長手方向に所定間隔を隔てて配置されたクッション材４９とを備えて構成されている。これにより、クッション材４９を介して上部横行片４５を上顎部３０に押圧したときの反発力で下部突条４７が下顎部３１の凹部４０に嵌合して開放部２７が閉塞され、ひいては、隙間Ｇを隠蔽できるようになっている。クッション材４９は、上部横行片４５の長手方向両端部に設けるとともに、その中間部に少なくとも１箇所設けることが好ましい。なお、カバー材２１において、上部横行片４５の上面側中間には、上顎部３０の前端に位置する傾斜面３３に沿うように突設された延長片５０が上部横行片４５に沿って一体に形成されている。また、上部横行片４５の後端には、下端位置が上部横行片４５の後端よりも前方に位置するように傾斜した屈曲片５２が形成されている。さらに、閉塞面４４の下端には垂下片４４ａが連設されており、当該垂下片４４ａは、前記下部突条４７が凹部４０に嵌合したときに、下顎部３１の前端面に当接するように設けられ、これによりベース材２０が隠蔽される。
【００２２】
なお、化粧材１５の左右両端には、必要に応じて図示しないキャップが着脱できるように設けられている。
【００２３】
次に、本実施形態に係る化粧材１５を取り付ける場合には、キッチン１０の長手方向寸法に対応する長さとなるようなベース材２０とカバー材２１を用意する。用意したものが、キッチンの長手方向寸法と異なる場合は、作業現場にて切断する。そして、ベース材２０のベース面２５を側板２３及び図示しない中間仕切板の上部前端面２３ａに押し当て、ねじ２４を用いて固定する。この際、ベース面２５にねじ２４を挿通させるための穴を予め設けておいてもよいが、ねじ２４をねじ込むことで強制的に開通させてもよい。
【００２４】
ベース材２０の取り付けが完了した後、カバー材２１をベース材２０に装着する。この作業は、カバー材２１の上部側に位置する延長片５０を上顎部３０の起立部３４と、カウンター１１の湾曲面１１ｂとの間に差し込むことによって行われる。クッション材４９の上面が上部平面部３２の下面に押し当たる位置まで差し込まれた状態では、カバー材２１の下部側すなわち下部突条４７は凹部４０に嵌合しておらず、図２に示される位置よりも右上方位置にある。
ここで、クッション材４９が厚みを減少するようにカバー材２１を押し上げつつカバー材２１の下部に押し込み力を付与することで、下部突条４７が凹部４０に嵌合する。そして、このとき、クッション材４９が初期の厚みに復帰しようとする弾力を発揮し、これによって下部突条４７と凹部４０との嵌合が強く維持されるようになる。
【００２５】
なお、カバー材２１を外す場合には、カバー材２１の前方下端側にある垂下片４４ａを指先で押し上げることによって下部突条４７を凹部４０から脱落させればよい。
【００２６】
従って、このような実施形態によれば、カウンター１１とキャビネット１２との間の隙間Ｇを隠蔽するにあたり、カウンター１１側に特別な加工を施すことなく隠蔽を行うことができる、という効果を得る。
【００２７】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではない。
【００２８】
例えば、前記実施形態では、化粧材１５がアルミニウムを素材とした成形品によるものとしたが、その他の金属若しくは合成樹脂を素材として用いることもでき、木材等の採用も妨げない。カバー材２１が合成樹脂成形品で構成された場合には、上部横行片４５が閉塞面４４に対して屈曲角度を変化するように弾性変形可能となり、初期形状に復帰しようとする反発力が生ずるため、樹脂製の場合には、クッション材は省略することができる。
また、カウンター１１の前端側下面形状は、図示構成例に限らず、下面全体がほぼ同一平面位置にあるもの等であってもよく、この場合には、カバー材２１の形状を変更すれば足りる。
更に、ベース材２０は、カバー材２１を上下二箇所で保持される構成であればよく、上顎部３０、下顎部３１の形状等も任意に変更することができ、これに対応してカバー材２１を形状変更すればよい。
また、本発明のシステム家具は、システムキッチン、洗面化粧台に限定されるものではなく、カウンターと同等の天板をキャビネットの上部に備えて隠蔽を必要とする他のシステム家具にも適用可能である。
要するに、本発明は、キャビネット側への特別な加工を必要とすることなく上記の隠蔽が可能となる構成であれば足りる。
【符号の説明】
【００２９】
１０…システムキッチン（システム家具）、１１…カウンター、１２…キャビネット、１５…化粧材、２０…ベース材、２１…カバー材、２５…ベース面、２７…開放部、３０…上顎部、３１…下顎部、４０…凹部、４４…閉塞面、４５…上部横行片、４７…下部突条、４９…クッション材、Ｇ…隙間
【図１】
2019136164.tif 000003
【図２】
2019136164.tif 000004
【図３】
2019136164.tif 000005
【図４】
2019136164.tif 000006